(57)【要約】【課題】かご内の利用客がかごからスムーズに降りることができるエレベータの報知装置を提供する。【解決手段】かごが次に停止する階でかご内のどこにいる利用客が降りるかを、かご内の利用客に対して報知するエレベータの報知装置であって、かご内に分散して設けられ、かごが次に停止する階で降りる利用客による操作入力を受け付ける複数の釦１と、複数の釦１の各々に対応するかご内の位置を記憶し、複数の釦１の何れかに対して操作入力された場合に、操作入力された釦１に対応する位置情報を含む報知指令を出力する制御部２と、報知指令に基づいて、かご内の利用客に対する報知を行う表示装置３とを備えている。【選択図】図１
2010163223.tif 000002
【特許請求の範囲】
【請求項１】
かごが次に停止する階で前記かご内のどこにいる利用客が降りるかを、前記かご内の利用客に対して報知するエレベータの報知装置であって、
前記かご内に分散して設けられ、前記かごが次に停止する階で降りる利用客による操作入力を受け付ける複数の入力手段と、
前記複数の入力手段の各々に対応する前記かご内の位置を記憶し、前記複数の入力手段の何れかに対して操作入力された場合に、操作入力された入力手段に対応する位置情報を含む報知指令を出力する制御手段と、
前記報知指令に基づいて、前記かご内の利用客に対する報知を行う報知手段と、
を備えたことを特徴とするエレベータの報知装置。
【請求項２】
前記報知手段は、前記かご内の位置に応じて複数の表示領域に分割された表示部を含み、前記報知指令に基づいて、前記操作入力された入力手段に対応する表示領域を点灯させることを特徴とする請求項１に記載のエレベータの報知装置。
【請求項３】
前記かご内を撮影する撮影手段をさらに備え、
前記報知手段は、前記撮影手段によって撮影されたかご内画像を表示する表示部を含み、前記報知指令に基づいて、前記かご内画像上の前記操作入力された入力手段に対応する位置を点灯させることを特徴とする請求項１に記載のエレベータの報知装置。
【請求項４】
前記制御手段は、前記かご内の位置に応じた複数のアナウンスをさらに記憶して、前記操作入力された入力手段に対応する位置情報とともに対応するアナウンスを報知指令として出力し、
前記報知手段は、前記報知指令に基づいて、前記操作入力された入力手段に対応するアナウンスを流すことを特徴とする請求項１に記載のエレベータの報知装置。
【発明の詳細な説明】
【技術分野】
【０００１】
この発明は、かご内の利用客に対する報知を行うエレベータの報知装置に関する。
【背景技術】
【０００２】
従来のエレベータの報知装置は、乗り場呼びとかご呼びとが一致した階にかごが停止した場合に、乗り場にいる利用客に対して、かごから降りる人がいることを報知している（例えば、特許文献１参照）。
これにより、乗り場にいる利用客が、かごから降りる人に気付かずにかごに乗り込もうとすることがなくなり、かごの戸開時間が短縮されて利用客の待ち時間が短縮される。
【先行技術文献】
【特許文献】
【０００３】
【特許文献１】特開平５−４３１５３号公報
【発明の概要】
【発明が解決しようとする課題】
【０００４】
しかしながら、従来技術には、次のような問題点があった。
従来のエレベータの報知装置では、乗り場にいる利用客に対しては報知を行っているものの、かご内の利用客に対しては何等報知を行っていない。
そのため、例えばかご内が混雑している場合や、かごの奥にいる利用客が降りようとする場合等には、停止階において、利用客がかごからスムーズに降りることができないという問題点があった。
【０００５】
この発明は、上記のような課題を解決するためになされたものであって、その目的は、かご内の利用客がかごからスムーズに降りることができるエレベータの報知装置を提供することにある。
【課題を解決するための手段】
【０００６】
この発明に係るエレベータの報知装置は、かごが次に停止する階でかご内のどこにいる利用客が降りるかを、かご内の利用客に対して報知するエレベータの報知装置であって、かご内に分散して設けられ、かごが次に停止する階で降りる利用客による操作入力を受け付ける複数の入力手段と、複数の入力手段の各々に対応するかご内の位置を記憶し、複数の入力手段の何れかに対して操作入力された場合に、操作入力された入力手段に対応する位置情報を含む報知指令を出力する制御手段と、報知指令に基づいて、かご内の利用客に対する報知を行う報知手段とを備えたものである。
【発明の効果】
【０００７】
この発明のエレベータの報知装置によれば、制御手段は、かごが次に停止する階で降りる利用客により、複数の入力手段の何れかに対して操作入力された場合に、操作入力された入力手段に対応する位置情報を含む報知指令を出力する。また、報知手段は、報知指令に基づいて、かご内の利用客に対する報知を行う。
これにより、かごが次に停止する階でかご内のどこにいる利用客が降りるかを、かご内の利用客に対して報知することができる。
そのため、かご内の利用客がかごからスムーズに降りることができる。
【図面の簡単な説明】
【０００８】
【図１】この発明の実施の形態１に係るエレベータの報知装置を示すブロック構成図である。
【図２】図１に示したエレベータの報知装置が設けられたかごの平面図である。
【図３】図１に示した表示装置の表示部の正面図である。
【図４】この発明の実施の形態２に係るエレベータの報知装置が設けられたかごの平面図である。
【図５】図４に示した表示装置の表示部の正面図である。
【図６】この発明の実施の形態３に係るエレベータの報知装置を示すブロック構成図である。
【図７】図６に示したエレベータの報知装置が設けられたかごの平面図である。
【図８】図７に示したかごの横断面図である。
【図９】図６に示した表示装置の表示部の正面図である。
【図１０】この発明の実施の形態４に係るエレベータの報知装置を示すブロック構成図である。
【図１１】図１０に示したエレベータの報知装置が設けられたかごの平面図である。
【発明を実施するための形態】
【０００９】
以下、この発明の各実施の形態について図に基づいて説明するが、各図において同一、または相当する部分については、同一符号を付して説明する。
【００１０】
実施の形態１．
図１は、この発明の実施の形態１に係るエレベータの報知装置を示すブロック構成図である。また、図２は、図１に示したエレベータの報知装置が設けられたかごの平面図である。また、図３は、図１に示した表示装置３の表示部４の正面図である。
なお、図１では、複数の釦１ａ〜１ｄを、まとめて釦１と表示している。
【００１１】
図１〜３において、エレベータの報知装置は、釦（入力手段）１（釦１ａ〜１ｄ）と、制御部（制御手段）２と、表示装置（報知手段）３とを備えている。４個の釦１ａ〜１ｄは、かご内の壁面等に分散して設けられている。また、表示装置３は、かご内のどの利用客からも見えるように、例えばかごの上方に設けられている。
ここで、表示装置３の表示部４は、かごを上から見た状態を表示し、かごの奥の左右側に対応する表示領域５ａ、５ｂを含んでいる。
【００１２】
次に、このエレベータの報知装置の機能について説明する。
釦１ａ〜１ｄは、かご内の利用客による操作入力を受け付ける。
制御部２は、４個の釦１ａ〜１ｄの各々に対応するかご内の位置を記憶している。この実施の形態１では、釦１ａ、１ｂに表示領域５ａの位置が対応し、釦１ｃ、１ｄに表示領域５ｂの位置が対応しているとする。また、制御部２は、釦１ａ〜１ｄの何れかに対して操作入力された場合に、操作入力された釦に対応する位置情報を含む報知指令を表示装置３に出力する。
【００１３】
具体的には、制御部２は、利用客によって釦１ａまたは釦１ｂが押されると、表示部４の表示領域５ａを点灯させる報知指令を出力する。また、制御部２は、利用客によって釦１ｃまたは釦１ｄが押されると、表示部４の表示領域５ｂを点灯させる報知指令を出力する。また、制御部２は、かごが次の停止階で戸開した後、戸閉が完了すると表示部４の表示領域５ａ、５ｂを消灯させる報知指令を出力する。
【００１４】
表示装置３は、制御部２からの報知指令に基づいて、表示部４の表示領域５ａ、５ｂを点灯させ、かご内の利用客に対する報知を行う。このとき、表示領域５ａ、５ｂには、それぞれ例えば「次で降ります」といった文言が表示される。
【００１５】
続いて、このエレベータの報知装置の動作について説明する。
まず、かごが次に停止する階で降りる利用客により、近くにある釦１ａ〜１ｄの何れかが押される。押されたのが釦１ａ、１ｂの何れかである場合には、表示部４の表示領域５ａが点灯される。また、押されたのが釦１ｃ、１ｄの何れかである場合には、表示部４の表示領域５ｂが点灯される。そして、かごが次の停止階で戸開した後、戸閉が完了すると表示部４の表示領域５ａ、５ｂが消灯される。
【００１６】
この発明の実施の形態１に係るエレベータの報知装置によれば、制御手段は、かごが次に停止する階で降りる利用客により、複数の入力手段の何れかに対して操作入力された場合に、操作入力された入力手段に対応する位置情報を含む報知指令を出力する。また、報知手段は、報知指令に基づいて、操作入力された入力手段に対応する表示領域を点灯させ、かご内の利用客に対する報知を行う。
これにより、かごが次に停止する階でかご内のどこにいる利用客が降りるかを、かご内の利用客に対して報知することができる。
そのため、かご内の利用客がかごからスムーズに降りることができる。
また、表示領域を点灯させることにより、聴覚障害者に対しても、かごから降りる意思を示すことができる。
【００１７】
実施の形態２．
上記実施の形態１では、２個の釦に対して１個の表示領域が割り当てられていたが、これに限定されず、１個の釦に対して１または複数個の表示領域が割り当てられてもよい。
図４は、この発明の実施の形態２に係るエレベータの報知装置が設けられたかごの平面図である。また、図５は、図４に示した表示装置３Ａの表示部４Ａの正面図である。
【００１８】
図４、５において、３個の釦１ｅ〜１ｇは、かご内の壁面等に分散して設けられている。また、表示装置３Ａの表示部４Ａは、かごを上から見た状態を表示し、かごの奥の左右側に対応する表示領域５ｃ〜５ｆを含んでいる。
なお、その他の構成については、実施の形態１と同様であり、その説明は省略する。
【００１９】
次に、このエレベータの報知装置の機能について説明する。なお、実施の形態１と同様の機能については、説明を省略する。
制御部２Ａは、釦１ｅ〜１ｇの何れかに対して操作入力された場合に、操作入力された釦に対応する位置情報を含む報知指令を表示装置３Ａに出力する。
【００２０】
具体的には、制御部２Ａは、利用客によって釦１ｅが押されると、表示部４Ａの表示領域５ｃ、５ｄを点灯させる報知指令を出力する。また、制御部２Ａは、利用客によって釦１ｆが押されると、表示部４Ａの表示領域５ｄ、５ｅを点灯させる報知指令を出力する。また、制御部２Ａは、利用客によって釦１ｇが押されると、表示部４Ａの表示領域５ｅ、５ｆを点灯させる報知指令を出力する。
なお、このエレベータの報知装置の動作は、実施の形態１と同様なので、説明を省略する。
【００２１】
この発明の実施の形態２に係るエレベータの報知装置によれば、上記実施の形態１と同様の効果を得ることができる。
また、上記実施の形態１または２において、釦の数や設置位置、および表示領域の数や位置を適宜変更することにより、エレベータの報知装置を用途に応じてカスタマイズすることができる。
【００２２】
実施の形態３．
上記実施の形態１、２では、表示部４は、かご内の位置に応じて複数の表示領域に分割されていたが、これに限定されず、表示部は、カメラによって撮影されたかご内画像を表示してもよい。
図６は、この発明の実施の形態３に係るエレベータの報知装置を示すブロック構成図である。また、図７は、図６に示したエレベータの報知装置が設けられたかごの平面図である。また、図８は、図７に示したかごの横断面図である。また、図９は、図６に示した表示装置３Ｂの表示部４Ｂの正面図である。
なお、図６では、複数の釦１ｈ〜１ｎを、まとめて釦１と表示している。
【００２３】
図６〜９において、エレベータの報知装置は、釦１（釦１ｈ〜１ｎ）と、制御部２Ｂと、表示装置３Ｂと、カメラ（撮影手段）６とを備えている。５個の釦１ｈ〜１ｎは、かご内の壁面等に分散して設けられている。また、表示装置３Ｂは、かご内のどの利用客からも見えるように、例えばかごの上方に設けられている。
ここで、表示装置３Ｂの表示部４Ｂは、カメラ６によって撮影されたかご内画像を表示する。
【００２４】
次に、このエレベータの報知装置の機能について説明する。
釦１ｈ〜１ｎは、かご内の利用客による操作入力を受け付ける。また、カメラ６は、かご内を上方から撮影して、かご内画像を表示装置３Ｂに出力する。
制御部２Ｂは、５個の釦１ｈ〜１ｎの各々に対応するかご内の位置を記憶している。また、制御部２Ｂは、釦１ｈ〜１ｎの何れかに対して操作入力された場合に、操作入力された釦に対応する位置情報を含む報知指令を表示装置３Ｂに出力する。
【００２５】
具体的には、制御部２Ｂは、利用客によって釦１ｈが押されると、表示部４Ｂに表示されたかご内画像上の釦１ｈに対応する位置（図９の釦部分７ｈ）またはその周辺を点灯させる報知指令を出力する。また、制御部２Ｂは、利用客によって釦１ｊ〜１ｎの何れかが押されると、表示部４Ｂに表示されたかご内画像上の、押された釦１ｊ〜１ｎに対応する位置（図９の釦部分７ｊ〜７ｎ）またはその周辺を点灯させる報知指令を出力する。また、制御部２Ｂは、かごが次の停止階で戸開した後、戸閉が完了すると表示部４Ｂの釦部分７ｈ〜７ｎを消灯させる報知指令を出力する。
【００２６】
表示装置３Ｂは、制御部２Ｂからの報知指令に基づいて、表示部４Ｂに表示されたかご内画像上の釦部分７ｈ〜７ｎを点灯させ、かご内の利用客に対する報知を行う。
【００２７】
続いて、このエレベータの報知装置の動作について説明する。
まず、かごが次に停止する階で降りる利用客により、近くにある釦１ｈ〜１ｎの何れかが押される。釦が押されると、表示部４Ｂに表示されたかご内画像上の、押された釦１ｈ〜１ｎに対応する位置またはその周辺が点灯される。そして、かごが次の停止階で戸開した後、戸閉が完了すると表示部４Ｂの釦部分７ｈ〜７ｎが消灯される。
【００２８】
この発明の実施の形態３に係るエレベータの報知装置によれば、制御手段は、かごが次に停止する階で降りる利用客により、複数の入力手段の何れかに対して操作入力された場合に、操作入力された入力手段に対応する位置情報を含む報知指令を出力する。また、報知手段は、報知指令に基づいて、かご内画像上の操作入力された入力手段に対応する位置またはその周辺を点灯させ、かご内の利用客に対する報知を行う。
これにより、かごが次に停止する階でかご内のどこにいる利用客が降りるかを、かご内の利用客に対して報知することができる。また、表示部にかご内画像を表示することにより、かご内の利用客が、かご内の混雑状況を容易に把握することができる。
そのため、かご内の利用客がかごからスムーズに降りることができる。
また、表示領域を点灯させることにより、聴覚障害者に対しても、かごから降りる意思を示すことができる。
【００２９】
実施の形態４．
上記実施の形態１〜３では、かごが次に停止する階でかご内のどこにいる利用客が降りるかを、表示部への表示により報知しているが、これに限定されず、スピーカ等を用いて音声により報知してもよい。  図１０は、この発明の実施の形態４に係るエレベータの報知装置を示すブロック構成図である。また、図１１は、図１０に示したエレベータの報知装置が設けられたかごの平面図である。
なお、図１０では、複数の釦１ｐ〜１ｓを、まとめて釦１と表示している。
【００３０】
図１０、１１において、エレベータの報知装置は、釦１（釦１ｐ〜１ｓ）と、制御部２Ｃと、スピーカ（報知手段）８とを備えている。４個の釦１ｐ〜１ｓは、かご内の壁面等に分散して設けられている。また、スピーカ８は、例えばかごの上方に設けられている。
【００３１】
次に、このエレベータの報知装置の機能について説明する。
釦１ｐ〜１ｓは、かご内の利用客による操作入力を受け付ける。
制御部２Ｃは、４個の釦１ｐ〜１ｓの各々に対応するかご内の位置を記憶している。また、制御部２Ｃは、かご内の位置に応じた複数のアナウンス（後述する）を記憶している。また、制御部２Ｃは、釦１ｐ〜１ｓの何れかに対して操作入力された場合に、操作入力された釦に対応する位置情報とともに対応するアナウンスを報知指令としてスピーカ８に出力する。
【００３２】
具体的には、制御部２Ｃは、利用客によって釦１ｐまたは釦１ｑが押されると、スピーカ８から、例えば「左奥の方が降ります」とアナウンスさせる報知指令を出力する。また、制御部２Ｃは、利用客によって釦１ｒまたは釦１ｓが押されると、スピーカ８から、例えば「右奥の方が降ります」とアナウンスさせる報知指令を出力する。
スピーカ８は、制御部２Ｃからの報知指令に基づいて、操作入力された釦１ｐ〜１ｓに対応するアナウンスを流し、かご内の利用客に対する報知を行う。
【００３３】
続いて、このエレベータの報知装置の動作について説明する。
まず、かごが次に停止する階で降りる利用客により、近くにある釦１ｐ〜１ｓの何れかが押される。押されたのが釦１ｐ、１ｑの何れかである場合には、スピーカ８から、例えば「左奥の方が降ります」とアナウンスされる。また、押されたのが釦１ｒ、１ｓの何れかである場合には、スピーカ８から、例えば「右奥の方が降ります」とアナウンスされる。
【００３４】
この発明の実施の形態４に係るエレベータの報知装置によれば、制御手段は、かごが次に停止する階で降りる利用客により、複数の入力手段の何れかに対して操作入力された場合に、操作入力された入力手段に対応する位置情報とともに対応するアナウンスを報知指令として出力する。また、報知手段は、報知指令に基づいて、操作入力された入力手段に対応するアナウンスを流し、かご内の利用客に対する報知を行う。
これにより、かごが次に停止する階でかご内のどこにいる利用客が降りるかを、かご内の利用客に対して報知することができる。
そのため、かご内の利用客がかごからスムーズに降りることができる。
また、アナウンスを流すことにより、視覚障害者に対しても、かごから降りる意思を示すことができる。
【００３５】
なお、上記実施の形態１〜３のものと、上記実施の形態４のものとを組み合わせて用いてもよい。
この場合には、聴覚障害者に対しても、視覚障害者に対しても、かごから降りる意思を示すことができる。
【００３６】
また、上記実施の形態１〜４では、かご内の利用客による操作入力を受け付ける入力手段として、釦を例に挙げて説明したが、これに限定されない。入力手段は、例えば手をかざしたことを検知するようなセンサであってもよい。
この場合にも、上記実施の形態１〜４と同様の効果を得ることができる。
【００３７】
また、上記実施の形態１〜４において、かご内にかご操作盤が複数設けられている場合には、釦またはセンサの代わりに、かご操作盤を入力手段として用いてもよい。
この場合には、かごに乗り込んだ利用客が押した行き先釦に応じて表示部４、４Ｂの点灯、またはスピーカ８のアナウンスを制御することにより、かごが次に停止する階で降りる利用客が釦を押す必要がなくなり、利便性を向上させることができる。
【符号の説明】
【００３８】
１、１ａ〜１ｓ  釦（入力手段）、２、２Ａ〜２Ｃ  制御部（制御手段）、３、３Ａ、３Ｂ  表示装置（報知手段）、４、４Ａ、４Ｂ  表示部、５ａ〜５ｆ  表示領域、６  カメラ（撮影手段）、８  スピーカ（報知手段）。
【図１】
2010163223.tif 000003
【図２】
2010163223.tif 000004
【図３】
2010163223.tif 000005
【図４】
2010163223.tif 000006
【図５】
2010163223.tif 000007
【図６】
2010163223.tif 000008
【図７】
2010163223.tif 000009
【図８】
2010163223.tif 000010
【図９】
2010163223.tif 000011
【図１０】
2010163223.tif 000012
【図１１】
2010163223.tif 000013